(57)【要約】      （修正有）【課題】長尺部材が着脱自在で開閉が容易な構成の連結金具を用いたベルトを提供する。【解決手段】ベルト１は、ベルト短尺部と、ベルト短尺部の一端に回転自在に接続されたバックル２と、ベルト短尺部の他端に接続された連結金具と、連結金具のベルト短尺部との接続端とは反対の端に着脱自在に接続されたベルト長尺部９とを備え、連結金具は、固定部７ａ、係止部７ｂ、回転保持部７ｃを備える基部と、基部に対して回転軸６ｄを中心に回転自在な回転挟持部６とを有し、回転挟持部は基部に対する係止を解除するときに指先を係止させる切欠部６ｂを有している。【選択図】図３
0003220917.tif 000002
【実用新案登録請求の範囲】
【請求項１】
バックルと、
ベルト長尺部と、
前記バックルと前記ベルト長尺部を連結する連結金具と、を有し、
前記連結金具は、開閉自在であり、開閉のときに指先を係止させる切欠部を有する
ベルト。
【請求項２】
ベルト短尺部と、
前記ベルト短尺部の一端に回転自在に接続されたバックルと、
前記ベルト短尺部の他端に接続された連結金具と、
前記連結金具の前記ベルト短尺部との接続端とは反対の端に着脱自在に接続されたベルト長尺部と、を備え、
前記連結金具は、基部と、前記基部に対して回転軸を中心に回転自在な回転挟持部とを有し、前記回転挟持部は、前記基部に対する係止を解除するときに指先を係止させる切欠部を有する
ベルト。
【請求項３】
ベルト短尺部と、
前記ベルト短尺部の一端に回転自在に接続されたバックルと、
前記ベルト短尺部の他端に接続された連結金具と、
前記連結金具の前記ベルト短尺部との接続端とは反対の端に着脱自在に接続されたベルト長尺部と、を備え、
前記連結金具は、基部と、前記基部に対して回転軸を中心に回転自在な回転挟持部とを有し、前記回転挟持部は前記回転軸の形成端と反対の端に前記基部と係止する係止部を有し、前記係止部には、前記基部に対する係止を解除するときに指先を係止させる切欠部が形成されている
ベルト。
【考案の詳細な説明】
【技術分野】
【０００１】
この考案は、開閉が容易な連結金具を用いたベルトに関する。
【背景技術】
【０００２】
従来、ベルトは、様々なウエストサイズのユーザが購入できるように、長尺部材を着脱自在とする金具が用いられている。換言すれば、ベルトのバックルと、長尺部材とは、連結金具により連結されている。従って、ベルトを購入したユーザは、連結金具より長尺部材を外し、自己のウエストサイズに合うように長尺部材を切断し、再度、連結金具を介してバックルと連結することで、使用できるようになる。
【０００３】
ここで、このような連結金具を用いたベルトとしては、例えば、特許文献１では、内部にスライド部分を備え、枠体の一辺もしくは板状の一部にベルトの一端を取り付ける軸部を備えたバックルの該軸部を保持するスペースを有した伸縮部と、ベルトを咬着する基端咬着部とで構成され、ベルトとバックルを連結させた状態で伸縮する機能を特徴としたベルトとバックルの伸縮連結金具が開示されている。
【先行技術文献】
【特許文献】
【０００４】
【特許文献１】実用新案登録第３１７８７８８号公報
【考案の概要】
【考案が解決しようとする課題】
【０００５】
しかしながら、特許文献１に開示されたものは、連結金具の開閉する際に、開閉動作を容易にするための構成上の工夫については開示されていなかった。
【０００６】
本考案は、このような課題に鑑みてなされたものであり、その目的とするところは、開閉が容易な構成を有する連結金具を用いたベルトを提供することにある。
【課題を解決するための手段】
【０００７】
上記課題を解決するために、本考案の一態様であるベルトは、バックルと、ベルト長尺部と、前記バックルと前記ベルト長尺部を連結する連結金具とを有し、前記連結金具は開閉自在であり、開閉のときに指先を係止させる切欠部を有する。
【０００８】
本考案の他の態様に係るベルトは、ベルト短尺部と、前記ベルト短尺部の一端に回転自在に接続されたバックルと、前記ベルト短尺部の他端に接続された連結金具と、前記連結金具の前記ベルト短尺部との接続端とは反対の端に着脱自在に接続されたベルト長尺部とを備え、前記連結金具は、基部と、前記基部に対して回転軸を中心に回転自在な回転挟持部とを有し、前記回転挟持部は、前記基部に対する係止を解除するときに指先を係止させる切欠部を有する。
【０００９】
本考案の他の態様に係るベルトは、ベルト短尺部と、前記ベルト短尺部の一端に回転自在に接続されたバックルと、前記ベルト短尺部の他端に接続された連結金具と、前記連結金具の前記ベルト短尺部との接続端とは反対の端に着脱自在に接続されたベルト長尺部とを備え、前記連結金具は、基部と、前記基部に対して回転軸を中心に回転自在な回転挟持部とを有し、前記連結金具は、基部と、前記基部に対して回転軸を中心に回転自在な回転挟持部とを有し、前記回転挟持部は前記回転軸の形成端と反対の端に前記基部と係止する係止部を有し、前記係止部に前記基部に対する係止を解除するときに指先を係止させる切欠部が形成されている。
【考案の効果】
【００１０】
本考案によれば、開閉が容易な構成を有する連結金具を用いたベルトを提供することができる。
【図面の簡単な説明】
【００１１】
【図１】本考案の一実施形態に係るベルトの構成図である。
【図２】本考案の一実施形態に係るベルトの連結金具を閉じた状態を示す図である。
【図３】本考案の一実施形態に係るベルトの連結金具を開いた状態を示す図である。
【考案を実施するための形態】
【００１２】
以下、図面を参照しつつ本考案の実施形態について説明する。
【００１３】
図１には、本考案の一実施形態に係るベルトの構成を示し、図２には、同ベルトの連結金具を閉じた状態を示し、図３には、同ベルトの連結金具を開いた状態を示し、各部の構成及び作用について詳細に説明する。
【００１４】
これらの図に示されるように、ベルト１は、ベルト短尺部８を備えており、ベルト短尺部８の一端には、バックル２が回転軸４を中心に回転自在に接続されている。より詳細には、ベルト短尺部８は、部材を先端部で折返し縫い付けた構成となっており、その先端部の開口部に回転軸４が挿通されているので、当該回転軸４に接続されたバックル２はベルト短尺部８に対して回転自在となる。ベルト短尺部８の先端の開口部８ａには、係止部材が接続されており、ベルト長尺部９が係止されるようになっている。
【００１５】
ベルト短尺部８の他端には、連結金具５が接続されている。この連結金具５は、基部７と回転挟持部６とで構成されている。この基部７の一端には、固定部７ａが設けられており、基部７は、当該固定部７ａによりベルト短尺部８に固定される。基部７の他端には回転保持部７ｃが設けられている。回転挟持部６の回転軸６ｄは、この回転保持部７ｃにより回動自在に保持される。基部７の固定部７ａの近傍には、回転挟持部６の係止部６ａが係止する係止部７ｂが設けられている。この回転挟持部６の係止部６ａには、切欠部６ｂが設けられている。この例では、切欠部６ｂは、係止部６ａの略中央を中心に所定長だけ開口され、切り欠かれた形状となっている。
【００１６】
回転挟持部６の回転軸６ｄ近傍には、挟持部６ｃが鋸刃形状に形成されている。挟持部６ｃは、連結金具５を閉じたときに、ベルト長尺部９を挟持する役割を担っている。連結金具５の回転挟持部６の基部７に対する係止を解除し、開いた状態のときには、ベルト長尺部９に対する挟持部６ｃの挟持は解除される。したがって、ベルト長尺部９を取り外しユーザのウエストサイズに合致したサイズに切断等して調整することができる。
【００１７】
このような構成において、連結金具５の回転挟持部６の基部７に対する係止を解除するときには、回転挟持部６の係止部６ａの略中央に設けられた切欠部６ｂに指先を係止して上に持ち上げればよい。上に持ち上げると、回転挟持部６の基部７に対する係止が解除され、回転挟持部６は、回転軸６ｄを中心に回転し、連結金具によるベルト長尺部９の連結が解除されることになる。
【００１８】
以上説明した本考案の実施形態によれば、以下の考案が提供される。
【００１９】
第１に、バックル２と、ベルト長尺部９と、バックル２とベルト長尺部９を連結する連結金具５とを有し、連結金具５は、開閉自在であり、開閉のときに指先を係止させる切欠部６ｂを有するベルト１が提供される。したがって、切欠部６ｂに指先を係止して上に持ち上げるだけで連結部材５容易に開くことが可能である。
【００２０】
第２に、ベルト短尺部８と、ベルト短尺部８の一端に回転自在に接続されたバックル２と、ベルト短尺部８の他端に接続された連結金具５と、連結金５具のベルト短尺部８との接続端とは反対の端に着脱自在に接続されたベルト長尺部９とを備え、連結金具５は、基部７と、基部７に対して回転軸６ｄを中心に回転自在な回転挟持部６とを有し、回転挟持部６は基部７に対する係止を解除するときに指先を係止させる切欠部６ｂを有するベルト１が提供される。したがって、連結金具５の基部７に対する回転挟持部６の係止を解除するときには、回転挟持部６の先端に設けられた切欠部６ｂに指を掛けて上に持ち上げ回転させることで、連結部材５を容易に開くことが可能である。
【００２１】
第３に、ベルト短尺部８と、ベルト短尺部８の一端に回転自在に接続されたバックル２と、ベルト短尺部８の他端に接続された連結金具５と、連結金５具のベルト短尺部８との接続端とは反対の端に着脱自在に接続されたベルト長尺部９とを備え、連結金具５は、基部７と、基部７に対して回転軸６ｄを中心に回転自在な回転挟持部６とを有し、回転挟持部６の回転軸６ｄの形成端と反対の端には係止部６ｃを有し、前記係止部６ｃには、基部７に対する係止を解除するときに指先を係止させる切欠部６ｂが形成されているベルト１が提供される。したがって、連結金具５の基部７に対する回転挟持部６の係止を解除するときには、回転挟持部６の係止部６ａに設けられた切欠部６ｂに指を掛けて上に持ち上げ回転させることで、連結部材５を容易に開くことが可能である。
【００２２】
以上、本考案の一実施形態について説明したが、本考案はこれに限定されることなくその趣旨を逸脱しない範囲で種々の改良・変更が可能である。
【００２３】
例えば、連結金具の切欠部のサイズ、形状は、前述したものに限定されず、種々のサイズ、形状のものを採用してもよいことは勿論である。
【符号の説明】
【００２４】
１…ベルト
２…バックル
３…係止部材
４…回転軸
５…連結金具
６…回転挟持部
６ａ…係止部
６ｂ…切欠部
６ｃ…挟持部
６ｄ…回転軸
７…基部
７ａ…固定部
７ｂ…係止部
７ｃ…回転保持部
８…ベルト短尺部
９…ベルト長尺部
【図１】
0003220917.tif 000003
【図２】
0003220917.tif 000004
【図３】
0003220917.tif 000005